(57)【要約】  【課題】簡易な構成でハンドセットの握持の向きを識別可能とする技術を提供する。  【解決手段】ハンドセット３において、接続制御部３１１は、送受話部３０ａ、３０ｂ各々に備えられたマイク３０４ａ、３０４ｂのうち、音量レベル計測部３０７ａ、３０７ｂにより計測された入力音量レベルの高い方のマイク３０４ａ、３０４ｂを備える送受話部３０ａ、３０ｂを送話側とし、入力音量レベルの低い方のマイク３０４ｂ、３０４ａを備える送受話部３０ｂ、３０ａを受話側とする。そして、スイッチ３０５ａ、３０５ｂを制御して、送話側のマイク３０４ａ、３０４ｂを送話ライン３０６ｂに接続して、送話側のスピーカ３０３ａ、３０３ｂを受話ライン３０６ａから切断するとともに、受話側のマイク３０４ｂ、３０４ａを送話ライン３０６ｂから切断して、受話側のスピーカ３０３ｂ、３０３ａを受話ライン３０６ａに接続する。【選択図】図１
2013065978.tif 000002
【特許請求の範囲】
【請求項１】
二つの送受話部を備えたハンドセットであって、
前記送受話部各々に備えられたマイクおよびスピーカと、
前記マイクの入力音量レベルを計測する音量レベル計測手段と、
前記マイクおよび前記スピーカと送受話ラインとの接続を制御する接続制御手段と、を有し、
前記接続制御手段は、
前記送受話部各々に備えられた前記マイクのうち、前記音量レベル計測手段により計測された入力音量レベルの高い方のマイクを備える前記送受話部を送話側とし、当該入力音量レベルの低い方のマイクを備える前記送受話部を受話側として、前記送話側の送受話部に備えられた前記マイクを前記送受話ラインに接続して、当該送受話部に備えられた前記スピーカを前記送受話ラインから切断するとともに、前記受話側の送受話部に備えられた前記マイクを前記送受話ラインから切断して、当該送受話部に備えられた前記スピーカを前記送受話ラインに接続する
ことを特徴とするハンドセット。
【請求項２】
請求項１に記載のハンドセットであって、
前記送受話ラインを流れるオフフックトーンを検出するオフフックトーン検出手段をさらに有し、
前記接続制御手段は、
前記オフフックトーン検出手段により前記オフフックトーンが検出された場合に、すべての前記スピーカを前記送受話ラインに接続するととともに、すべての前記マイクを前記送受話ラインから切断して、前記マイク各々の前記音量レベル計測手段により計測される入力音量レベルを比較し、レベル差が所定値以上となったならば、当該入力音量レベルの高い方の前記マイクを備える前記送受話部を送話側とし、当該入力音量レベルの低い方の前記マイクを備える前記送受話部を受話側とする
ことを特徴とするハンドセット。
【請求項３】
請求項１または２に記載のハンドセットであって、
前記接続制御手段は、
前記マイク各々の前記音量レベル計測手段により計測された入力音量レベルのレベル差が所定時間継続して所定値未満である場合に、すべての前記スピーカを前記送受話ラインに接続するととともに、すべての前記マイクを前記送受話ラインから切断して、前記マイク各々の前記音量レベル計測手段により計測される入力音量レベルを比較し、レベル差が所定値以上となったならば、当該入力音量レベルの高い方の前記マイクを備える前記送受話部を送話側とし、当該入力音量レベルの低い方の前記マイクを備える前記送受話部を受話側とする
ことを特徴とするハンドセット。
【請求項４】
請求項１ないし３のいずれか一項に記載のハンドセットを内蔵していることを特徴する携帯端末。
【発明の詳細な説明】
【技術分野】
【０００１】
本発明は、ハンドセットに関し、特に、操作者により握持されたハンドセットの向きを識別する技術に関する。
【背景技術】
【０００２】
特許文献１には、操作者がハンドセットを持ち上げるときに、その方向を意識せずに電話機を取り扱うことができるようにするための技術が開示されている。
【０００３】
この技術は、ハンドセットに重力センサを搭載するとともに、ハンドセットの両端部にそれぞれ、スピーカ、マイクおよび温度センサを搭載して、重力センサにより検知された上下方向および人の吐息の温度を検知した温度センサの搭載箇所に基づき、操作者が握持するハンドセットの向きを識別し、その向きに合わせて、両端部に搭載されたスピーカ、マイクと送受話ラインとの接続を切り替える。
【０００４】
具体的には、重力センサにより検知された下方側に位置する端部、あるいは人の吐息の温度を検知した温度センサを搭載する端部を送話側、送話側の端部と反対側の端部を受話側として、ハンドセットの向きを識別する。そして、送話側の端部に搭載されたマイクを送受話ラインに接続し、この端部に搭載されたスピーカを送受話ラインから切断するとともに、受話側の端部に搭載されたマイクを送受話ラインから切断し、この端部に搭載されたスピーカを送受話ラインに接続する。
【先行技術文献】
【特許文献】
【０００５】
【特許文献１】特開平８−１２５７２６号公報
【発明の概要】
【発明が解決しようとする課題】
【０００６】
しかしながら、特許文献１に記載の技術では、真夏日、高温の室内など、周囲の温度が人の吐息の温度と変わらない位に高い場合、温度センサで人の吐息の温度を検出できない可能性がある。このような場合に、例えば操作者が横になりながら電話をするなど、ハンドセットが水平になって重力センサで上下方向を検出できないと、操作者が握持するハンドセットの向きを識別することができない。また、重力センサおよび二つの温度センサが必要となり、コストがかさむ。さらに、異なる種類のセンサを使うので制御も複雑になる。
【０００７】
本発明は上記事情に鑑みてなされたものであり、本発明の目的は、より簡易な構成で、ハンドセットの握持の向きを識別可能とする技術を提供することにある。
【課題を解決するための手段】
【０００８】
上記課題を解決するために、本発明では、操作者の発話位置を検出することにより、操作者により握持されたハンドセットの向きを識別する。そして、識別した向きに合わせて、ハンドセットが備える二つの送受話部の一方を送話側に設定し、他方を受話側に設定して、送受話部各々と送受話ラインとの接続を切り替える。
【０００９】
例えば、本発明は、二つの送受話部を備えたハンドセットであって、
前記送受話部各々に備えられたマイクおよびスピーカと、
前記マイクの入力音量レベルを計測する音量レベル計測手段と、
前記マイクおよび前記スピーカと送受話ラインとの接続を制御する接続制御手段と、を有し、
前記接続制御手段は、
前記送受話部各々に備えられた前記マイクのうち、前記音量レベル計測手段により計測された入力音量レベルの高い方のマイクを備える前記送受話部を送話側とし、当該入力音量レベルの低い方のマイクを備える前記送受話部を受話側として、前記送話側の送受話部に備えられた前記マイクを前記送受話ラインに接続して、当該送受話部に備えられた前記スピーカを前記送受話ラインから切断するとともに、前記受話側の送受話部に備えられた前記マイクを前記送受話ラインから切断して、当該送受話部に備えられた前記スピーカを前記送受話ラインに接続する。
【発明の効果】
【００１０】
本発明は、送受話部各々に備えられたマイクの入力音量レベルの比較により、操作者の発話位置を検出して、操作者により握持されたハンドセットの向きを識別するので、真夏日、高温の室内など、周囲の温度が人の吐息の温度と変わらない位に高い状況で、操作者が例えば横になりながら電話をするなど、ハンドセットが水平になっている場合においても、操作者に握持されたハンドセットの向きを確実に識別することができる。また、重力センサ、温度センサ等の特別なセンサを設けることなく、ハンドセットの向きを識別できるので、コストを抑えることができ、制御も容易になる。
【図面の簡単な説明】
【００１１】
【図１】図１（Ａ）は、本発明の一実施の形態に係るハンドセット３を含むカールコードレス電話機１の概略構成図であり、図１（Ｂ）は、本発明の一実施の形態に係るハンドセット３の概略機能構成図である。
【図２】図２は、本発明の一実施の形態に係るハンドセット３の動作を説明するためのフロー図である。
【発明を実施するための形態】
【００１２】
以下に、本発明の実施の形態について説明する。
【００１３】
図１（Ａ）は、本実施の形態に係るハンドセット３を含むカールコードレス電話機１の概略構成図であり、図１（Ｂ）は、本実施の形態に係るハンドセット３の概略機能構成図である。
【００１４】
図１（Ａ）に示すように、カールコードレス電話機１は、電話機本体２と、電話機本体２に無線接続された本実施の形態に係るハンドセット３と、を備えている。
【００１５】
ハンドセット３は、電話機本体２と無線接続するためのアンテナを筺体に内蔵しており、二つの送受話部３０ａ、３０ｂと、操作者がハンドセット３を握持するための握持部３１と、を備える。
【００１６】
また、ハンドセット３は、図１（Ｂ）に示すように、無線インタフェース部３０１と、通信制御部３０２と、スピーカ３０３ａ、３０３ｂと、マイク３０４ａ、３０４ｂと、スイッチ３０５ａ、３０５ｂと、受話ライン３０６ａおよび送話ライン３０６ｂからなる送受話ライン３０６と、音量レベル計測部３０７ａ、３０７ｂと、フックトーン検出部３０８と、タイマ部３０９と、警告音送出部３１０と、接続制御部３１１と、を備えている。
【００１７】
無線インタフェース部３０１は、ハンドセット３の筺体に内蔵されたアンテナを介して電話機本体２と無線接続するためのインタフェースである。
【００１８】
通信制御部３０２は、無線インタフェース部３０１を介して電話機本体２と通話データを送受信する。具体的には、無線インタフェース部３０１を介して電話機本体２から通話データ（受話データ）を受信し、この通話データを受話ライン３０６ａに送出する。また、送話ライン３０６ｂから通話データ（送話データ）を受け取り、この通話データを電話機本体２に無線インタフェース部３０１を介して送信する。
【００１９】
一組のスピーカ３０３ａおよびマイク３０４ａは、一方の送受話部３０ａに搭載されており、もう一組のスピーカ３０３ｂおよびマイク３０４ｂは、他方の送受話部３０ｂに搭載されている。
【００２０】
一方のスイッチ３０５ａは、接続制御部３１１の指示に従い、送受話部３０ａに搭載されたスピーカ３０３ａおよびマイク３０４ａと送受話ライン３０６との接続を切り替える。具体的には、スピーカ３０３ａを受話ライン３０６ａに接続し、マイク３０４ａを送話ライン３０６ｂから切断する。あるいは、スピーカ３０３ａを受話ライン３０６ａから切断し、マイク３０４ａを送話ライン３０６ｂに接続する。
【００２１】
他方のスイッチ３０５ｂは、接続制御部３１１の指示に従い、送受話部３０ｂに搭載されたスピーカ３０３ｂおよびマイク３０４ｂと送受話ライン３０６との接続を切り替える。具体的には、スピーカ３０３ｂを受話ライン３０６ａに接続し、マイク３０４ｂを送話ライン３０６ｂから切断する。あるいは、スピーカ３０３ｂを受話ライン３０６ａから切断し、マイク３０４ｂを送話ライン３０６ｂに接続する。
【００２２】
一方の音量レベル計測部３０７ａは、送受話部３０ａに搭載されたマイク３０４ａの入力音量レベルを計測する。具体的には、マイク３０４ａの入力音声データからスピーカ３０３ａの出力音声データを差し引き、スピーカ３０３ａの出力音声による影響を取り除いたマイク３０４ａの入力音量レベルを計測する。
【００２３】
他方の音量レベル計測部３０７ｂは、送受話部３０ｂに搭載されたマイク３０４ｂの入力音量レベルを計測する。具体的には、マイク３０４ｂの入力音声データからスピーカ３０３ｂの出力音声データを差し引き、スピーカ３０３ｂの出力音声による影響を取り除いたマイク３０４ｂの入力音量レベルを計測する。
【００２４】
フックトーン検出部３０８は、無線インタフェース部３０１および通信制御部３０２を介して電話機本体２から受話ライン３０６ａに送られてきたフックトーン（オフフックトーン、オンフックトーン）を検出する。
【００２５】
タイマ部３０９は、接続制御部３１１の指示に従い経過時間を計測する。
【００２６】
警告音送出部３１０は、タイマ部３０９で計測されている経過時間が所定時間（警告音猶予時間）に達した場合に、操作者に発話を促す所定の警告音を受話ライン３０６ａに送出する。
【００２７】
そして、接続制御部３１１は、スイッチ３０５ａ、３０５ｂを制御して、送受話部３０ａ、３０ｂ各々に備えられたスピーカ３０３ａ、３０３ｂおよびマイク３０４ａ、３０４ｂと送受話ライン３０６との接続を制御する。
【００２８】
具体的には、マイク３０４ａ、３０４ｂのうち、音量レベル計測部３０７ａ、３０７ｂにより計測された入力音量レベルの高い方のマイク３０４ａ、３０４ｂを備える送受話部３０ａ、３０ｂを送話側、この入力音量レベルの低い方のマイク３０４ｂ、３０４ａを備える送受話部３０ｂ、３０ａを受話側とする。そして、送話側の送受話部３０ａ、３０ｂが備えるマイク３０４ａ、３０４ｂを送話ライン３０６ｂに接続し、この送受話部３０ａ、３０ｂが備えるスピーカ３０３ａ、３０３ｂを受話ライン３０６ａから切断するとともに、受話側の送受話部３０ｂ、３０ａが備えるマイク３０４ｂ、３０４ａを送話ライン３０６ｂから切断し、この送受話部３０ｂ、３０ａが備えるスピーカ３０３ｂ、３０３ａを受話ライン３０６ａに接続する。
【００２９】
ここで、スイッチ３０５ａ、３０５ｂの接続を切り替える際に、スピーカ３０３ａ、３０３ｂと受話ライン３０６ａとの接続を一旦切断してから接続するようにしているが、送受話部３０ａが受話側とされた場合において、スピーカ３０３ａと受話ライン３０６ａとが予め接続されているならば、スイッチ３０５ａを切断せずに現状の接続を維持させるようにしてもよい。同様に、送受話部３０ｂが受話側とされた場合において、スピーカ３０３ｂと受話ライン３０６ａとが予め接続されているならば、スイッチ３０５ｂを切断せずに現状の接続を維持させるようにしてもよい。
【００３０】
図２は、本実施の形態に係るハンドセット３の動作を説明するためのフロー図である。このフローは、フックトーン検出部３０８が受話ライン３０６ａからオフフックトーンを検出することにより開始される。
【００３１】
まず、接続制御部３１１は、送受話部３０ａにおいて、スピーカ３０３ａが受話ライン３０６ａに接続され、マイク３０４ａが送話ライン３０６ｂから切断されるように、スイッチ３０５ａを制御する。同様に、送受話部３０ｂにおいて、スピーカ３０３ｂが受話ライン３０６ａに接続され、マイク３０４ｂが送話ライン３０６ｂから切断されるように、スイッチ３０５ｂを制御する（Ｓ３０１）。この状態では、一旦、両方の送受話部３０ａ、３０ｂがともに受話側に設定されており、電話機本体２からの音声は両方の送受話部３０ａ、３０ｂのスピーカ３０３ａ、３０３ｂから出力される。
【００３２】
つぎに、接続制御部３１１は、音量レベル計測部３０７ａ、３０７ｂに対して音量レベルの計測を指示する。これを受けて、音量レベル計測部３０７ａは、送受話部３０ａに搭載されたマイク３０４ａの入力音量レベルの計測を開始し、接続制御部３１１に計測結果を通知する。同様に、音量レベル計測部３０７ｂは、送受話部３０ｂに搭載されたマイク３０４ｂの入力音量レベルの計測を開始し、接続制御部３１１に計測結果を通知する（Ｓ３０２）。
【００３３】
つぎに、接続制御部３１１は、音量レベル計測部３０７ａ、３０７ｂ各々から逐次通知される入力音量レベルを比較し、両者の音量レベル差が所定値以上となるのを待つ（Ｓ３０３）。そして、両者の音量レベル差が所定値以上になったならば（Ｓ３０３でＹＥＳ）、入力音量レベルの高いマイク３０４ａ、３０４ｂを搭載した送受話部３０ａ、３０ｂを送話側に設定し、入力音量レベルの低いマイク３０４ｂ、３０４ａを搭載した送受話部３０ｂ、３０ａを受話側に設定する（Ｓ３０４）。
【００３４】
それから、接続制御部３１１は、スイッチ３０５ａ、３０５ｂを制御して、送話側の送受話部３０ａ、３０ｂにおいて、スピーカ３０３ａ、３０３ｂを受話ライン３０６ａから切断し、マイク３０４ａ、３０４ｂを送話ライン３０６ｂに接続する。また、スイッチ３０５ｂ、３０５ａを制御して、受話側の送受話部３０ｂ、３０ａにおいて、スピーカ３０３ｂ、３０３ａを受話ライン３０６ａに接続し、マイク３０４ｂ、３０４ａを送話ライン３０６ｂから切断する（Ｓ３０５）。
【００３５】
つぎに、接続制御部３１１は、タイマ部３０９による経過時間の計測を開始する（３０６）。そして、接続制御部３１１は、音量レベル計測部３０７ａ、３０７ｂ各々から逐次通知される入力音量レベルの音量レベル差が所定値以上になる毎に（Ｓ３０７でＹＥＳ）、タイマ部３０９をリセットして経過時間を計測し直す（Ｓ３０８）。
【００３６】
さて、接続制御部３１１は、音量レベル計測部３０７ａ、３０７ｂ各々から逐次通知される入力音量レベルの音量レベル差が所定値未満のまま（Ｓ３０７でＮＯ）、タイマ部３０９で計測されている経過時間が所定のリセット猶予時間に達した場合（Ｓ３０９でＹＥＳ）、Ｓ３０１に戻って、送受話部３０ａ、３０ｂの送話側、受話側の決定をやり直す。
【００３７】
また、警告音送出部３１０は、音量レベル計測部３０７ａ、３０７ｂ各々から逐次通知される入力音量レベルの音量レベル差が所定値未満のまま（Ｓ３０７でＮＯ）、タイマ部３０９で計測されている経過時間が所定の警告音猶予時間（ただし、警告音猶予時間＜リセット猶予時間）に達した場合（Ｓ３０９でＮＯ、Ｓ３１０でＹＥＳ）、所定の警告音を受話ライン３０６ａに送出する（Ｓ３１１）。
【００３８】
また、フックトーン検出部３０８は、無線インタフェース部３０１および通信制御部３０２を介して電話機本体２から送話ライン３０６ｂに送られてきたオンフックトーンを検出したならば（Ｓ３１２でＹＥＳ）、その旨を接続制御部３１１に通知する。これにより、このフローを終了する。
【００３９】
なお、図２において、Ｓ３１０、Ｓ３１１は省略してもかまわない。この場合、音量レベル計測部３０７ａ、３０７ｂ各々から逐次通知される入力音量レベルの音量レベル差が所定値未満のまま、リセット猶予時間を経過していなければ（Ｓ３０７でＮＯ、Ｓ３０９でＮＯ）、Ｓ３１２に進む。
【００４０】
以上、本発明の一実施の形態について説明した。
【００４１】
本実施の形態では、ハンドセット３両端の送受話部３０ａ、３０ｂ各々に備えられたマイク３０４ａ、３０４ｂの入力音量レベルの比較により、操作者の発話位置を検出して、操作者により握持されたハンドセット３の向きを識別するので、真夏日、高温の室内など、周囲の温度が人の吐息の温度と変わらない位に高い状況で、操作者が例えば横になりながら電話をするなど、ハンドセット３が水平になっている場合においても、操作者に握持されたハンドセット３の向きを確実に識別することができる。また、重力センサ、温度センサ等の特別なセンサを設けることなく、ハンドセット３の向きを識別できるので、コストを抑えることができ、制御も容易になる。
【００４２】
また、本実施の形態において、接続制御部３１１は、フックトーン検出部３０８によりオフフックトーンが検出された場合に、送受話部３０ａ、３０ｂ各々に備えられたスピーカ３０３ａ、３０３ｂをすべて受話ライン３０６ａに接続するととともに、送受話部３０ａ、３０ｂ各々に備えられたマイク３０４ａ、３０４ｂをすべて送話ライン３０６ｂから切断して、音量レベル計測部３０７ａ、３０７ｂにより計測されるマイク３０４ａ、３０４ｂの入力音量レベルを比較する。そして、音量レベル差が所定値以上となったならば、入力音量レベルの高い方のマイク３０４ａ、３０４ｂを備える送受話部３０ａ、３０ｂを送話側とし、入力音量レベルの低い方のマイク３０４ｂ、３０４ａを備える送受話部３０ｂ、３０ａを受話側としている。
【００４３】
このため、本実施の形態によれば、操作者が着信操作して着信応答してから発話するまでの間に通話相手が発話した内容、および、操作者が発信操作してから発話するまでの間に通話相手が着信応答して発話した内容を聞き逃すのを防止できる。
【００４４】
また、本実施の形態において、接続制御部３１１は、送受話部３０ａ、３０ｂ各々に備えられたマイク３０４ａ、３０４ｂの音量レベル計測部３０７ａ、３０７ｂにより計測された入力音量レベルの音量レベル差が所定時間継続して所定値未満である場合に、送受話部３０ａ、３０ｂ各々に備えられたスピーカ３０３ａ、３０３ｂをすべて受話ライン３０６ａに接続するととともに、マイク３０４ａ、３０４ｂをすべて送話ライン３０６ｂから切断し、音量レベル計測部３０７ａ、３０７ｂにより計測されるマイク３０４ａ、３０４ｂの入力音量レベルを比較する。そして、音量レベル差が所定値以上となったならば、入力音量レベルの高い方のマイク３０４ａ、３０４ｂを備える送受話部３０ａ、３０ｂを送話側とし、入力音量レベルの低い方のマイク３０４ｂ、３０４ａを備える送受話部３０ｂ、３０ａを受話側としている。
【００４５】
このため、本実施の形態によれば、例えば、操作者が通話を中断し、ハンドセット３を机に置いて手元の資料を調べ、しばらくしてからハンドセット３を手にとって通話を再開する場合においても、操作者にハンドセット３の向きを意識させずに通話を再開させることができる。
【００４６】
なお、本発明は上記の実施の形態に限定されるものではなく、その要旨の範囲内で数々の変形が可能である。
【００４７】
例えば、上記の実施の形態では、本発明をハンドセット３に適用した場合を例にとり説明したが、本発明はこれに限定されない。本発明は、ハンドセット３と電話機本体２とが一体となった携帯端末にも適用可能である。この場合、図１（Ｂ）において、通信制御部３０２は、電話機本体２としての機能を実現する電話機能部に置き換えられる。また、無線インタフェース部３０１は、無線基地局、無線アクセスポイント等を介して電話網、ＩＰ電話網等に接続するための無線インタフェースに置き換えられる。
【符号の説明】
【００４８】
１：カールコードレス電話機、２：電話機本体、３：ハンドセット、３０ａ、３０ｂ：送受話部、３１：握持部、３０１：無線インタフェース部、３０２：通信制御部、３０３ａ、３０３ｂ：スピーカ、３０４ａ、３０４ｂ：マイク、３０５ａ、３０５ｂ：スイッチ、３０６：送受話ライン、３０６ａ：受話ライン、３０６ｂ：送話ライン、３０７ａ、３０７ｂ：音量レベル計測部、３０８：フックトーン検出部、３０９：タイマ部、３１０：警告音送出部、３１１：接続制御部
【図１】
2013065978.tif 000003
【図２】
2013065978.tif 000004